(57)【要約】バネ（１１）により付勢され、跳ね戸（４）に枢着される調整アーム（２）を備えた戸棚の跳ね戸（４）のための調整アーム駆動装置（１）。調整アーム（２）は２つの終端位置により限定される揺動範囲を介して傾斜できる。調整アーム駆動装置（１）は少なくとも１つの緩衝装置（１８）を備え、緩衝装置は調整アーム（２）の両方の終端位置の前で調整アームの傾斜運動を緩衝する。【選択図】図３
2007522363.tif 000002
【特許請求の範囲】
【請求項１】
特に少なくとも１つのバネにより付勢され、２つの終端位置により限定される揺動範囲を介して傾斜できる跳ね戸に枢着される調整アームと、調整アームの傾斜運動を緩衝する少なくとも１つの緩衝装置とを備えた戸棚の跳ね戸の調整アーム駆動装置において、単一または複数の緩衝装置（１８）は前記調整アーム（２）の両方の終端位置の前で前記調整アーム（２）の傾斜運動を緩衝し、その際、両方の緩衝範囲の間で、前記調整アーム（２）の運動が１つの緩衝装置（１８）または複数の緩衝装置（１８）により影響されない中立範囲が設けられることを特徴とする調整アーム駆動装置。
【請求項２】
前記調整アーム（２）の両方の終端位置の前に前記調整アーム（２）の傾斜運動を緩衝する単一緩衝装置（１８）が設けられることを特徴とする請求項１に記載の調整アーム駆動装置。
【請求項３】
調整アーム（２）には、複数または単一の緩衝装置（１８）のための停止体（１９）が設けられることを特徴とする請求項１または請求項２に記載の調整アーム駆動装置。
【請求項４】
少なくとも１つのバネ（１１）を押す制御湾曲部（９）を有する制御部分（７）は、調整アーム（２）と枢着され、前記の少なくとも１つのバネ（１１）と前記制御部分（７）との間には、前記制御湾曲部（９）に直接に当る線形運行可能な押圧部分（１２）が設けられ、前記押圧部分（１２）と固定停止体（１７）との間に前記緩衝装置（１８）が配置されることを特徴とする請求項１乃至請求項３の内の１項に記載の調整アーム駆動装置。
【請求項５】
前記制御部分（７）は線形運行可能なスライダー（１５）上で回転可能に支持され、スライダー（１５）と固定停止体（１７）との間に前記緩衝装置（１８）が配置されることを特徴とする請求項１乃至請求項４の内の１項に記載の調整アーム駆動装置。
【請求項６】
前記緩衝装置（１８）は液体緩衝装置として構成されることを特徴とする請求項１乃至請求項５の内の１項に記載の調整アーム駆動装置。
【請求項７】
前記緩衝装置（１８）は線形緩衝装置として構成されることを特徴とする請求項６に記載の調整アーム駆動装置。
【請求項８】
前記制御湾曲部（９）は、前記調整アーム（２）での軸受個所に関して前記制御部分（７）の末端で、凸面湾曲路として構成されることを特徴とする請求項１乃至請求項７の内の１項に記載の調整アーム駆動装置。
【請求項９】
前記調整アーム駆動装置（１）は、家具の左側壁にも右側壁（３）にも取付けできることを特徴とする請求項１乃至請求項８の内の１項に記載の調整アーム駆動装置。
【請求項１０】
前記調整アーム駆動装置（１）は、調整アーム駆動装置（１）の相互に対向する平坦面に選択的に取付けできるカバー跳ね戸を備えることを特徴とする請求項９に記載の調整アーム駆動装置。
【発明の詳細な説明】
【技術分野】
【０００１】
本発明は、特に少なくとも１つのバネにより付勢され、２つの終端位置により限定される揺動範囲を介して傾斜できる跳ね戸に枢着される調整アームと、調整アームの傾斜運動を緩衝する少なくとも１つの緩衝装置とを備えた戸棚の跳ね戸の調整アーム駆動装置に関するものである。
【背景技術】
【０００２】
この種の調整アーム駆動装置は跳ね戸の制御された開閉を可能にする。この種の跳ね戸は、特に、高い戸棚の場合に設けられる。跳ね戸は、単一の跳ね戸として構成することができるか、または、折り畳み跳ね戸として構成することができる。この種の調整アーム駆動装置を備えた家具の例は特許文献１で示されている。
【特許文献１】ドイツ連邦共和国特許公開第１０１４５８５６号公報
【発明の開示】
【発明が解決しようとする課題】
【０００３】
本発明の課題は、この種の調整アーム駆動装置を改良することである。
【課題を解決するための手段】
【０００４】
本発明による課題は、単一または複数の緩衝装置が調整アームの両方の終端位置の直前で前記調整アームの傾斜運動を緩衝し、その際、両方の緩衝範囲の間で前記調整アームの運動が緩衝装置により影響されない中立範囲が設けられることにより解決される。
【０００５】
前記調整アーム駆動装置の本発明による構成により、前記跳ね戸は前記調整アーム駆動装置により、最上終端位置に達する直前で開放位置に押され、その際、緩衝され、最下終端位置に達する直前で閉鎖位置に押され、その際、同様に前記跳ね戸の運動は緩衝される。その間に前記跳ね戸が前記調整アーム駆動装置により常に平衡して保持される中立範囲が生じる。
【０００６】
前記調整アームの両方の終端位置の前で前記調整アームの傾斜運動を緩衝する単一緩衝装置が設けられると都合がよい。
【発明を実施するための最良の形態】
【０００７】
次に、添付図面に基づき本発明の異なる実施例を説明する。
【０００８】
本発明による調整アーム駆動装置１は、嵩高戸棚の側壁３において調整アーム２と共に取付けられる。
【０００９】
前記調整アーム２の自由端部は跳ね戸４に枢着される。前記調整アーム２は前記調整アーム駆動装置１の軸５上で回転可能に支持される。さらに、前記調整アーム２は、短いレバーアーム６と共に２本のアーム状レバーとして構成され、前記制御部分７は軸８を介して短いレバーアーム６と枢着される。
【００１０】
前記制御部分７は、前記軸８からの見た末端において凸湾曲の形状の制御湾曲部９を有する。
【００１１】
前記調整アーム駆動装置１のハウジング１０内には、多数、特に、３つの圧縮バネ１１が貯蔵され、これらの圧縮バネは押圧部分１２を介して前記制御部分７の制御湾曲部９を押す。押圧部分１２内では、前記制御湾曲部９に当り、高度変位する金属板２１が取付けられる。金属板２１は高度が変位可能であることにより、前記制御部分７の揺動の際に制御部分７と金属板２１との間に摩擦は起こらない。金属板２１は滑り軸受内に存在できる。
【００１２】
図４による実施例では、前記制御部分７は線形の運行スライダー１５上で軸１６を介して回転可能に支持される。
【００１３】
図５による実施例では、前記制御部分７は前記押圧部分１２上で回転可能に支持され、より厳密には、前記押圧部分１２内の長孔１４を突出する軸１３により支持される。前記軸１３と前記長孔１４とにより、前記制御部分７は前記押圧部分１２に関して回転可能にも支持され、直線状に変位可能にも支持される。
【００１４】
前記調整アーム２は、その最上終端位置に達する直前でバネ１１により最上終端位置に押圧され、最下終端位置に達する直前で最下閉鎖位置に押圧されるように前記制御湾曲部９は構成される。これらの位置の間で、前記跳ね戸４が平衡して保持される中立範囲を生じる。
【００１５】
前記押圧部分１２または線形に運行可能なスライダー１５と、ハウジング１０に構成される固定停止体１７との間に、実施例では線形緩衝装置として構成される緩衝装置１８が配置される。さらに、前記調整アーム２は前記緩衝装置１８のための停止体１９を有する。前記跳ね戸４が持ち上げられ、前記調整アーム２が最上終端位置に近づけられると、線形に運行可能なスライダー１５は、他方において停止体１７により支持されている前記緩衝装置１８を押し、緩衝装置１８は、この範囲での前記調整アーム２の揺動運動を緩衝する。
【００１６】
前記跳ね戸４が低下され、前記調整アーム２が、その最下終端位置に近づけられると、前記調整アーム２の前記停止体１９は前記緩衝装置１８を押し、前記停止体１９に対向する緩衝装置の端部は線形に運行可能なスライダー１５により支持される。このようにして、前記調整アーム２は最下終端位置の到達前、すなわち、前記跳ね戸４の閉鎖位置の到達前に緩衝される。つまり、前記跳ね戸４の開放の場合も閉鎖の場合も前記調整アーム２の運動を緩衝するための前記緩衝装置１８を満たす。
【００１７】
図示の実施例では、前記調整アーム駆動装置１は単一の前記緩衝装置１８を備え、前記緩衝装置は、閉鎖位置に達する直前でも開放位置に達する直前でも前記調整アーム２を制動する。しかしながら、２つの緩衝装置１８を設けることもでき、その際、前記緩衝装置１８の一方は閉鎖位置に達する場合に前記調整アーム２を制動し、第２緩衝装置１８は開放位置に達する場合に前記調整アーム２を制動する。両方の緩衝装置１８は異なる緩衝特性を有することができる。
【００１８】
前記緩衝装置１８の緩衝行程、緩衝性能および前記緩衝装置１８は調整できるように都合よく設けられる。
【００１９】
この発明によると、前記調整アーム駆動装置１は家具の左側壁にも右側壁３にも取付けができるように構成される。前記調整アーム駆動装置１は戸棚の右または左の側壁３に取付けできるかどうかによって、前記調整アーム駆動装置１は、調整アーム駆動装置１の相互に対向する平坦面に選択的に取付けできるカバー跳ね戸を備えると都合がよい。
【００２０】
さらに、なお、前記ハウジング１０内には、前記調整アーム２の最上終端位置を定める停止体２０が設けられる。
【００２１】
前記緩衝装置１８は図示の実施例では、線形緩衝装置および液体緩衝装置として構成される。空気緩衝装置も油圧緩衝装置も使用できる。
【図面の簡単な説明】
【００２２】
【図１】閉鎖された跳ね戸を備えた戸棚の垂直断面を示す。
【図２】開放された跳ね戸を備えた戸棚の垂直断面を示す。
【図３】本発明による調整アーム駆動装置の平面図を示す。
【図４】調整アーム駆動装置の前方範囲の図を示し、ここでは、跳ね戸と調整アームは省略されている。
【図５】別の実施例による調整アーム駆動装置の前方範囲の図を示し、ここでは、さらに、跳ね戸は省略されている。
【図６】(図６、７、〜図１１)までは、(図６ａ、７a〜１１ａ)に示した、跳ね戸の各位置における、調整アーム駆動装置の前方範囲の平面図であり、図６は開き始めた状態での調整アーム駆動装置の様子である。
【図６ａ】図６ａは、開き始めた状態での跳ね戸の様子である。
【図７】図７は、開く途中の状態での調整アーム駆動装置の様子である。
【図７ａ】図７ａは、開く途中の状態での跳ね戸の様子である。
【図８】図８は、最上終端位置の状態での調整アーム駆動装置の様子である。
【図８ａ】図８ａは、最上終端位置の状態での跳ね戸の様子である。
【図９】図９は、閉じ始めた状態での調整アーム駆動装置の様子である。
【図９ａ】図９ａは、閉じ始めた状態での跳ね戸の様子である。
【図１０】図１０は、最下終端位置に近づけた状態での調整アーム駆動装置の様子である。
【図１０ａ】図１０ａは、最下終端位置に近づけた状態での跳ね戸の様子である。
【図１１】図１１は、閉鎖位置の状態での調整アーム駆動装置の様子である。
【図１１ａ】図１１ａは、閉鎖位置の状態での跳ね戸の様子である。
【図１２ａ】別の例の、跳ね戸とそのタイロッドの閉鎖位置の図である。
【図１２ｂ】図１２ａに示した跳ね戸とそのタイロッドの、開放位置の図である。
【図１３ａ】別の例の、跳ね戸とそのタイロッドの閉鎖位置の図である。
【図１３ｂ】図１３ａに示した跳ね戸とそのタイロッドの、開放位置の図である。
【図１４ａ】別の例の、跳ね戸とそのタイロッドの閉鎖位置の図である。
【図１４ｂ】図１４ａに示した跳ね戸とそのタイロッドの、開放位置の図である。
【符号の説明】
【００２３】
１    調整アーム駆動装置
２    調整アーム
３    側壁
４    跳ね戸
７    制御部分
９    湾曲部分
１０    ハウジング
１１    押圧バネ
１２    押圧部分
【図１】
2007522363.tif 000003
【図２】
2007522363.tif 000004
【図３】
2007522363.tif 000005
【図４】
2007522363.tif 000006
【図５】
2007522363.tif 000007
【図６】
2007522363.tif 000008
【図６ａ】
2007522363.tif 000009
【図７】
2007522363.tif 000010
【図７ａ】
2007522363.tif 000011
【図８】
2007522363.tif 000012
【図８ａ】
2007522363.tif 000013
【図９】
2007522363.tif 000014
【図９ａ】
2007522363.tif 000015
【図１０】
2007522363.tif 000016
【図１０ａ】
2007522363.tif 000017
【図１１】
2007522363.tif 000018
【図１１ａ】
2007522363.tif 000019
【図１２ａ】
2007522363.tif 000020
【図１２ｂ】
2007522363.tif 000021
【図１３ａ】
2007522363.tif 000022
【図１３ｂ】
2007522363.tif 000023
【図１４ａ】
2007522363.tif 000024
【図１４ｂ】
2007522363.tif 000025
【国際調査報告】
2007522363.tif 000026
2007522363.tif 000027
2007522363.tif 000028
2007522363.tif 000029